(57)【要約】【課題】複数の光源ランプを備えた画像読取装置において、光源ランプの寿命を長くする画像読取装置、画像形成装置、画像読取装置制御方法、及びプログラムを提供する。【解決手段】複数の光源ランプにより原稿を走査して原稿の複数ラインの画像データを取得し、画像データを用いて原稿のサイズを検知する画像読取装置において、全ての光源を点灯せずに、複数の光源のうち、必要な光量が得られるための最小限の光源ランプのみを点灯して原稿を走査し、原稿のサイズを検知する。【選択図】図１
2007143032.tif 000002
【特許請求の範囲】
【請求項１】
複数の光源により原稿を走査して前記原稿の複数ラインの画像データを取得し、前記画像データを用いて前記原稿のサイズを検知する画像読取装置において、
前記複数の光源のうち所定の光源のみを点灯して前記原稿を走査することを特徴とする画像読取装置。
【請求項２】
前記複数の光源のそれぞれについて過去の使用量を予め記録しておき、
前記過去の使用量に基づいて使用量の少ない光源を選択し、前記選択した光源を点灯して前記原稿のサイズを検知することを特徴とする請求項１記載の画像読取装置。
【請求項３】
前記複数の光源の中から異常な光源を検出し、前記異常な光源以外の光源を点灯して前記原稿のサイズを検知することを特徴とする請求項１又は２記載の画像読取装置。
【請求項４】
前記複数の光源のそれぞれについて光量を検出し、
前記光量の異常を検出した際には、異常が検出された光源以外を点灯して再度前記原稿のサイズを検知することを特徴とする請求項３記載の画像読取装置。
【請求項５】
請求項１から４のいずれか１項に記載の画像読取装置を備えることを特徴とする画像形成装置。
【請求項６】
複数の光源により原稿を走査して前記原稿の複数ラインの画像データを取得し、前記画像データを用いて前記原稿のサイズを検知する画像読取装置を制御する画像読取装置制御方法において、
前記複数の光源のうち所定の光源のみを点灯して前記原稿を走査することを特徴とする画像読取装置制御方法。
【請求項７】
前記複数の光源のそれぞれについて過去の使用量を予め記録しておき、
前記過去の使用量に基づいて使用量の少ない光源を選択し、前記選択した光源を点灯して前記原稿のサイズを検知することを特徴とする請求項６記載の画像読取装置制御方法。
【請求項８】
前記複数の光源の中から異常な光源を検出し、前記異常な光源以外の光源を点灯して前記原稿のサイズを検知することを特徴とする請求項６又は７記載の画像読取装置制御方法。
【請求項９】
前記複数の光源のそれぞれについて光量を検出し、
前記光量の異常を検出した際には、異常が検出された光源以外を点灯して再度前記原稿のサイズを検知することを特徴とする請求項８記載の画像読取装置制御方法。
【請求項１０】
複数の光源により原稿を走査して前記原稿の複数ラインの画像データを取得し、前記画像データを用いて前記原稿のサイズを検知する画像読取装置に画像読取装置制御方法を実行させるプログラムにおいて、
前記複数の光源のうち所定の光源のみを点灯して前記原稿を走査する処理を画像読取装置に実行させることを特徴とするプログラム。
【発明の詳細な説明】
【技術分野】
【０００１】
本発明はデジタル複写機、複合機等の画像形成装置に備えられる画像読取装置に係り、特に、原稿サイズ検知を行う画像読取装置、画像形成装置、画像読取装置制御方法及びプログラムに関する。
【背景技術】
【０００２】
従来、原稿サイズ検知装置において、ブック読み取り時に原稿サイズを検知する方式として赤外線センサを用いていたが、近年、赤外線センサを用いずに、原稿読み取り用のラインセンサを用いて原稿サイズを検知する方式が用いられるようになってきている。原稿サイズを検知する場合、主走査サイズのみならず副走査方向のサイズも必要になるが、副走査方向の原稿サイズ検知を行おうとすると、原稿面をプレスキャンする必要が出てくる。これだとスキャン速度等に影響を及ぼしてしまうので、実際には副走査方向の原稿サイズ検知は従来通り赤外線センサにて行い、主走査方向検知のみ、ラインセンサ読み取りデータを使う方式が主流となっている。原稿サイズ検知装置の従来技術例である下記特許文献１〜３はいずれも、主走査方向のみ検知する方式をとっている。
また、下記特許文献４〜６の画像読取装置のように、従来、主にカラー読み取りにおける光の波長の問題や、光量の問題を補うために、原稿を照射する光源を複数持つ画像読取装置が用いられている。
【特許文献１】特開平１０−２５７２５５号公報
【特許文献２】特開平２０００−１３８７９８号公報
【特許文献３】特開平２００３−１９８８０９号公報
【特許文献４】特開２００５−０５１３８１号公報
【特許文献５】特開２００４−１０９８６６号公報
【特許文献６】特開２００３−２４８２７４号公報
【発明の開示】
【発明が解決しようとする課題】
【０００３】
上記特許文献に開示されている従来技術においては、光源ランプを実際の画像読み取り時だけでなく、原稿サイズの検出時にも点灯する。一般に光源ランプには寿命があり、その寿命は総点灯時間に大きく依存するため、設置期間や読み取り枚数によってランプの寿命が短くなってしまうという欠点があった。
【０００４】
本発明は、上記事情に鑑みてなされたものであり、複数の光源ランプを備えた画像読取装置において、圧板上原稿のサイズ検知を行う場合には、全ての光源ランプを点灯させず、必要な光量が得られるための最小限の光源ランプを点灯することにより、光源ランプの寿命を長くする画像読取装置、画像形成装置、画像読取装置制御方法及びプログラムを提供することを目的とする。
【課題を解決するための手段】
【０００５】
かかる目的を達成するために、請求項１記載の発明は、複数の光源により原稿を走査して原稿の複数ラインの画像データを取得し、画像データを用いて原稿のサイズを検知する画像読取装置において、複数の光源のうち所定の光源のみを点灯して原稿を走査することを特徴とする。
【０００６】
請求項２記載の発明は、請求項１記載の発明において、複数の光源のそれぞれについて過去の使用量を予め記録しておき、過去の使用量に基づいて使用量の少ない光源を選択し、選択した光源を点灯して原稿のサイズを検知することを特徴とする。
【０００７】
請求項３記載の発明は、請求項１又は２記載の発明において、複数の光源の中から異常な光源を検出し、異常な光源以外の光源を点灯して原稿のサイズを検知することを特徴とする。
【０００８】
請求項４記載の発明は、請求項３記載の発明において、複数の光源のそれぞれについて光量を検出し、光量の異常を検出した際には、異常が検出された光源以外を点灯して再度原稿のサイズを検知することを特徴とする。
【０００９】
請求項５記載の発明は、請求項１から４のいずれか１項に記載の画像読取装置を備えることを特徴とする。
【００１０】
請求項６記載の発明は、複数の光源により原稿を走査して原稿の複数ラインの画像データを取得し、画像データを用いて原稿のサイズを検知する画像読取装置を制御する画像読取装置制御方法において、複数の光源のうち所定の光源のみを点灯して原稿を走査することを特徴とする。
【００１１】
請求項７記載の発明は、請求項６記載の発明において、複数の光源のそれぞれについて過去の使用量を予め記録しておき、過去の使用量に基づいて使用量の少ない光源を選択し、選択した光源を点灯して原稿のサイズを検知することを特徴とする。
【００１２】
請求項８記載の発明は、請求項６又は７記載の発明において、複数の光源の中から異常な光源を検出し、異常な光源以外の光源を点灯して原稿のサイズを検知することを特徴とする。
【００１３】
請求項９記載の発明は、請求項８記載の発明において、複数の光源のそれぞれについて光量を検出し、光量の異常を検出した際には、異常が検出された光源以外を点灯して再度原稿のサイズを検知することを特徴とする。
【００１４】
請求項１０記載の発明は、複数の光源により原稿を走査して原稿の複数ラインの画像データを取得し、画像データを用いて原稿のサイズを検知する画像読取装置に画像読取装置制御方法を実行させるプログラムにおいて、複数の光源のうち所定の光源のみを点灯して原稿を走査する処理を画像読取装置に実行させることを特徴とする。
【発明の効果】
【００１５】
本発明によれば、原稿読み取り用のラインセンサを用いて原稿サイズを検知する方式を用いる画像読取装置において、搭載している全てのランプを点灯せずに、原稿サイズ検知動作時に必要な光が得られるだけの最低限の本数のランプを点灯するため、ランプの寿命を長くすることができる。
【発明を実施するための最良の形態】
【００１６】
以下、本発明を実施するための最良の形態について添付図面を参照して詳細に説明する。
【００１７】
図１は、本発明の実施形態である画像読取装置の概略構成を示す断面図である。本実施形態の画像読取装置は、原稿面をなすコンタクトガラス１上に置いた原稿１０に対して、光源であるランプ２により光を照射し、第１ミラー３、第２ミラー４、第３ミラー５によって反射させた光をレンズ８によって集光し、ＣＣＤ９上に結像する。ランプ２及び第１ミラー３は複数存在することがあり、それぞれ対となる第１ミラー３によってどの光源の反射光も第２ミラーに集光されるようになっている。ランプ２及び第１ミラー３が距離Ｌだけ進む間に第２ミラー４、第３ミラー５は距離Ｌ／２だけ進む。このことにより、光学系の光路長を一定に保ち、原稿全体を走査する。
【００１８】
図２は、図１の画像読取装置の機械構成を示す斜視図である。ランプ２と第１ミラー３を備えた第１キャリッジ６は、駆動ワイヤ１１に取り付けられ、第２ミラー４、第３ミラー５、を備えた第２キャリッジ７は、プーリ１２に駆動ワイヤが巻きつけられる。駆動軸１４に繋がれたワイヤプーリ１５に駆動ワイヤ１１を巻きつけ、タイミングプーリ１６とタイミングベルト１７によって、モータ１８の駆動を伝達する。第１キャリッジ６の一端がホームポジションセンサ１３を横切ってからある一定距離をリターンさせた位置をホームポジションとする。
【００１９】
図３に一連のコピー動作における電装ブロック図を示す。スキャナ１００１に原稿をセットしてスタートキーを押下すると、スキャナ１００１にて原稿を読み取り、ＩＰＵ（イメージプロセッシングユニット）１００２内で一連の画像処理を行い、プリンタ１００３に画像データを出力し、紙排出が行われる。スキャナ１００１、ＩＰＵ１００２、プリンタ１００３内の必要なパラメータはＣＰＵの持つＲＡＭ１０１３内に保持されており、ＣＰＵ１００４により各デバイスに設定が行われる。また、パラメータ設定に必要なモード情報は、操作部１００５を使ってユーザが指定できるような構成となっており、操作部１００５内のＣＰＵとＣＰＵ１００４とが通信を行うことで情報の交換を行っている。
【００２０】
また、ＲＡＭ内１０１３には、本実施例の画像読取装置の制御を実行させるためのプログラムが格納されており、このプログラムはＲＡＭ１０１３から画像読取装置に読み込まれ、画像読取装置の動作を制御する。本実施例の画像読取装置は、このプログラムの制御により、以下に説明する各フロー図の処理を実行する。
【００２１】
図４に本発明の主要な構成要素となるＩＰＵ１００２内のブロック図を示す。スキャナ１００１から受け取った原稿読み取りデータに対し、所望の画像処理を実施するが、原稿サイズ検知動作を行う場合、画像処理モジュール１０１１に接続された複数ラインメモリ１０１２にその画像データを蓄える。また、ＩＰＵ１００２は、複数ラインメモリ１０１２を制御するメモリコントロール１０１４を併せ持ち、ＣＰＵ１００４から複数ラインメモリ１０１２データのリード／ライトが可能となっている。
【００２２】
図５にメモリコントロール１０１４の一例を示す。ラインセンサ読み取り１ラインの基準となるＸＬＳＹＮＣ信号と画素クロックであるところのＰＣＬＫ、ラインセンサ読み取り開始トリガを示すＸＦＳＹＮＣ信号を画像処理モジュール１０１１から受け取り、複数ラインメモリ１０１２にライトリセット（ＸＷＲＳＴ）信号と、ライトイネーブル（ＸＷＥ）信号とを渡している。それと共にＣＰＵ１００４からメモリライト領域を示す主走査スタート、主走査幅、副走査スタート、副走査幅の４つのパラメータを受け取り、２つの基準信号：ＸＦＳＹＮＣ、ＸＬＳＹＮＣからメモリのライト位置を確定する。
【００２３】
図６に副走査方向のタイミングを示し、図７に主走査方向のタイミングを示す。メモリコントロールとして上記構成を持つことにより、図８に示すような２次元方向の複数パッチのデータを同時にメモリに書き込むことが可能となる（図８中の斜線部がメモリ書込み領域を示す）。パラメータ、タイミングとして主走査方向、副走査方向としたが、本実施形態における副走査方向は、原稿読み取りに対する副走査方向のみならず、時間の経過をも示すものとしている。図８の横軸ｔは、時間の経過を示す例で、Ｔ１、Ｔ２での読み取りパッチの位置を示している。
【００２４】
図９に、図１０の基本フローチャート中のステップＳ１６における「画像データを取り出す」処理を示す。図８に示すパッチデータを複数ラインメモリ１０１２から１パッチずつＣＰＵ１００４の持つＲＡＭ１０１３に読み出し、１パッチの平均値を求め２値化を行うことで、パッチの白黒判定を行っている。
【００２５】
図９のフローチャートに従って説明する。ステップＳ１にて白黒判定フロースタートし、ステップＳ２にて１パッチ内の画素数を設定する。その後複数ラインメモリ１０１２から１画素単位でリードを行い（ステップＳ３）、設定されたＮ画素の加算を行う（ステップＳ４、Ｓ１０）。その後、ステップＳ５にて１パッチ内の平均値を求め、そのパッチの２値化を行う（ステップＳ６）。その結果からパッチの黒画素、白画素を判定し（ステップＳ７、Ｓ８）、白黒判定フローを終了する（ステップＳ８）。なお、ステップＳ４、Ｓ５において、平均値を求めるフローとしてＮ画素全加算のあと全平均としているが、例えば主走査方向だけの加算を行い１ラインでの平均を求め、その後次のラインの加算と平均を繰り返し、最終判定を行う方式でもよい。
【実施例１】
【００２６】
次に、実施例１における原稿サイズ検知動作の制御について図１０を参照して以下に説明する。
【００２７】
まず、第１に原稿サイズ検知のために必要な準備を行う（ステップＳ１２）。ステップＳ１２においては、図６及び図７のタイミングチャートに示すような原稿サイズ検知のための原稿読み取りタイミングの設定、及び、必要に応じてシェーディング補正に必要な準備設定を実行する。
【００２８】
ステップＳ１２で準備が完了すると、原稿読み取りのために使用するランプを選択する（ステップ１３）。このとき、使用するランプの数などは機械固有のものとなるので一概には言えないが、全てのランプを点灯する必要はない。
【００２９】
ステップＳ１３で使用するランプを決定したら、その結果にしたがってランプ点灯を実行する（ステップＳ１４）。ステップＳ１３の処理が完了した時点で原稿の読み取りを実行する（ステップＳ１５）。ステップＳ１５では、原稿サイズ用のライト信号を発生し、ライト信号の有効期間内の画像データ読み取りを行って処理を終了する。このとき、キャリッジを移動させて原稿を走査しながら読み取りを実行するか、もしくはキャリッジを原稿サイズ検知位置に停止させたまま読み取りを実行し、２ライン以上の読み取り画像データを取得してもよい。
【００３０】
ステップＳ１５で原稿の読み取りが完了したら、原稿サイズを解析するために読み取った原稿画像データの取り出しを行う（ステップＳ１６）。本実施例において、読み取った原稿画像データの取り出しは、図４に示すＣＰＵ１００４から複数ラインメモリ１０１２に保存されたデータを読み出すことで行われる。
【００３１】
ステップＳ１６で取り出した画像データを解析し、原稿サイズの判定を行う（ステップＳ１７）。ステップＳ１７において、原稿サイズの判定が成功した場合には（ステップＳ１７／サイズ検知成功）、ステップＳ１８で原稿サイズを決定する。原稿サイズの決定とは、具体的には、図４におけるＣＰＵ１００４に接続されたプログラム実行用のメモリ１０１３（ＲＡＭ）に原稿サイズ情報を保存しておくことであり、以降は必要に応じて決定した原稿サイズ情報を読み出して利用する。原稿サイズの決定後は、原稿サイズ検知動作を完了する（ステップＳ１９）。
【００３２】
ステップＳ１７において、原稿サイズの判定に失敗した場合には（ステップＳ１７／サイズ検知失敗）、原稿サイズを決定せず、原稿サイズ検知動作を完了する（ステップＳ１９）。原稿サイズの判定が失敗する例としては、真黒な原稿である場合や、あるいは、原稿台に対する外光の影響や原稿照射用のランプの点灯状態（ランプをＯＮしたが光量が安定していない状態で読み取りを実行する等）によって、読み取りデータから原稿のサイズを判定することができない場合が考えられる。
以上が本実施形態の画像読取装置の原稿サイズ検知動作の基本シーケンスである。
【００３３】
以上のことから、本実施例によれば、図１０のステップＳ１３及びステップＳ１４において、搭載している全てのランプを点灯せずに、原稿サイズの検知動作時に必要な光が得られるだけの最低限の本数のランプを点灯するため、原稿読み取り用のラインセンサを用いて原稿サイズを検知する方式を用いる画像読取装置において、点灯しないランプの寿命を長くすることができる。
【実施例２】
【００３４】
実施例２は、実施例１において、各光源の点灯時間を所定の記憶手段に記録しておき、その中で点灯時間の短い光源から優先的に使用するようにしたものである。このときの図１０のステップＳ１３における使用するランプの決定アルゴリズムについて図１１を参照して以下に説明する。
【００３５】
まず、ステップＳ２２でカウンタＮを１に初期化する。次に、ステップＳ２３でランプの使用記録を参照し、使用頻度（点灯時間）がＮ番目に少ないランプを検索する。検索終了後、Ｎが必要なランプ数ｎに達したかどうかを判定する（ステップＳ２４）。ここで、必要なランプ数に達していない場合には（ステップＳ２４／ＮＯ）、Ｎをインクリメントし（ステップＳ２７）、ステップＳ２３にもどり、Ｎ＝ｎとなるまでステップＳ２３及びステップＳ２４を繰り返す。Ｎ＝ｎとなるとなった場合（ステップＳ２４／ＹＥＳ）、ステップＳ２４までの処理で決定したランプを使用することを記録する（ステップＳ２５）。このステップＳ２５で記録した内容をもとに、再度サイズ検知を行う際にステップＳ２３での判定が行われる。
【００３６】
以上のことから、本実施例によれば、搭載している全てのランプを点灯せずに、原稿サイズ検知動作時に必要な光が得られるだけの最低限の本数のランプを点灯するため、原稿読み取り用のラインセンサを用いて原稿サイズを検知する方式を用いる画像読取装置において、ランプの寿命を長くすることができる。
【実施例３】
【００３７】
実施例３は、実施例２において、異常が検出されている光源は使用せずにその他の光源を点灯させてサイズ検知を行うようにする。
【００３８】
光源には寿命があるため、一般的に画像読取装置は光源が正常に点灯しているか、また必要な光量が得られているかを検出する手段を持っている。その方法はいくつかあるが、システムの起動時や、原稿の読み取りの際に、基準となる白板を読み取り、その読み取り値が規定の値を超えているかどうかで判断される。
【００３９】
ここで、複数の光源をもつ画像読取装置における原稿サイズ検知においては、必ずしも全ての光源を使う必要はない。たとえば、カラー読み取りの場合には、全ての光源を点灯する必要があるが、原稿サイズ検出では、原稿上に画像があるかないかのレベルですむなどの理由から、全ての光源を点灯しないでも処理を行うことができる。
【００４０】
そこで、実施例３として、異常となった光源は使用しないで原稿サイズ検知を行うようにした場合に、点灯するランプの決定フローについて、図１２を参照して以下に説明する。基本動作は、上記実施例２と同様であるので、図１２において、図１１と同じ部分の説明は省略する。
【００４１】
まず、ステップＳ３２でカウンタＮ，Ｍをそれぞれ１に初期化する。ステップＳ３３で使用頻度（点灯時間）の小さいランプを検索後、通常は、使用できるランプがあるものと判断して（ステップＳ３４／ＹＥＳ）、ステップＳ３５に進む。ステップＳ３５では、検索されたランプの異常検知結果の記録をチェックする。
【００４２】
異常であった場合には（ステップＳ３５／ＮＯ）、そのランプは使用せずに次のランプを検索対象とし（ステップＳ３９）、ステップＳ３３に戻る。正常であった場合には（ステップＳ３５／ＹＥＳ）、実施例２の図１１のステップＳ２４〜Ｓ２６と同様に処理を行い（ステップＳ３６、Ｓ４０、Ｓ３７）、正常終了する（ステップＳ３８）。
【００４３】
また、本実施例の場合、図１１の場合と異なり、異常が検出されているランプが多い場合には、ステップＳ３６にて、使用決定されたランプの数Ｎが必要なランプの数ｎに達しない場合がある。この場合は、ステップＳ３３での検索の結果、ステップＳ３４にて、使用できるランプがないと判断され（ステップＳ３４／ＮＯ）、異常終了する（ステップＳ４１）。
【００４４】
以上のことから、本実施例によれば、原稿読み取り用のラインセンサを用いて原稿サイズを検知する方式を用いる画像読取装置において、複数のランプのいくつかが異常となった場合にも原稿検知を行うことができる。
【実施例４】
【００４５】
実施例４は、実施例３において、原稿サイズ検知の実施時にもランプの異常チェックを行い、チェックの結果、点灯していたランプが異常であると判断された場合には、そのときのサイズ検知結果を破棄し、再度サイズ検知を行うようにする。本実施例の制御フローを図１３に示す。
【００４６】
図１３に示すように、まず、原稿サイズ検知の準備を行い（ステップＳ５２）、点灯するランプを決定する（ステップＳ５３）。適切なランプがない場合（ステップＳ５３／適切なランプなし）は、処理を終了する（ステップＳ６０）。適切なランプがある場合（ステップＳ５３／適切なランプあり）、原稿の照射を開始し（ステップＳ５４）、原稿を読み取る（ステップＳ５５）。
【００４７】
ステップＳ５５で原稿を読み取った後、白基準板を読み取り、点灯しているランプにより必要な光量が得られているかを確認する（ステップＳ５６）。ステップＳ５６で異常と判断された場合には（ステップＳ５６／ＹＥＳ）、点灯しているランプの異常を記録し、ステップＳ５３にもどる。ステップＳ５３では、異常状態のランプは選択されないため、その後は、正常なランプのみで原稿サイズ検知が行われる（ステップＳ５３／適切なランプあり〜ステップＳ６０）。
【００４８】
また、ステップＳ５３で異常なランプが多く、必要なランプの数が足りなくなった場合には（ステップＳ５３／適切なランプなし）、ユーザにその旨の通知を行い、処理を終了する（ステップＳ６０）。
【００４９】
以上のことから、本実施例によれば、原稿読み取り用のラインセンサを用いて原稿サイズを検知する方式を用いる画像読取装置において、複数のランプのいくつかが異常となった場合にも原稿検知を行うことができる。
【００５０】
以上説明したように、本発明の実施例１では、原稿読み取り用のラインセンサを用いて原稿サイズを検知する方式を用いる画像読取装置において、搭載している全てのランプを点灯せずに、原稿サイズ検知動作時に必要な光が得られるだけの最低限の本数のランプを点灯するため、点灯しないランプの寿命を長くすることができる。また、その画像読取装置を搭載することにより、点灯しないランプの寿命を長くすることができる画像形成装置を実現できる。
【００５１】
また、本発明の実施例２では、上記実施例１において、搭載している全てのランプを点灯せずに、原稿サイズ検知動作時に必要な光が得られるだけの最低限の本数のランプを点灯するため、ランプの寿命を長くすることができ、同時に全てのランプを均等に使用するため、搭載している全てのランプの寿命を長くすることができる。また、その画像読取装置を搭載することにより、上記同様の効果を得られる画像形成装置を実現できる。
【００５２】
また、本発明の実施例３では、上記実施例２において、原稿読み取り用のラインセンサを用いて原稿サイズを検知する方式を用いる画像読取装置において、複数のランプのうち正常なランプのなかからいくつかを選択、点灯して原稿サイズ検知を行うことによって、いくつかのランプが異常となった場合にも原稿検知を行うことができる。また、その画像読取装置を搭載することにより、上記同様の効果を得られる画像形成装置を実現できる。
【００５３】
また、本発明の実施例４では、上記実施例３において、原稿サイズ検知時にもランプ異常の検出を行うことによって、より正確な原稿サイズ検知を行うとともに、複数のランプのうち正常なランプの中からいくつかを選択、点灯して原稿サイズ検知を行うことによって、いくつかのランプが異常となった場合にも原稿検知を行うことができる。また、その画像読取装置を搭載することにより、上記同様の効果を得られる画像形成装置を実現できる。
【００５４】
以上、本発明の実施例について説明したが、上記実施例に限定されるものではなく、その要旨を逸脱しない範囲において種々の変形が可能である。
【産業上の利用可能性】
【００５５】
本発明は、単体のスキャナ、及び、コピー、ファクシミリ、プリンタなどの機能を有するデジタル複合機等に適用できる。
【図面の簡単な説明】
【００５６】
【図１】本発明の画像読取装置の概略構成を示す断面図である。
【図２】図１の画像読取装置の機械構成を示す斜視図である。
【図３】一連のコピー動作における電装ブロック図である。
【図４】本発明の画像読取装置のＩＰＵ内を示すブロック図である。
【図５】本発明の画像読取装置のメモリコントロールの一例を示すブロック図である。
【図６】本発明の画像読取装置の副走査方向のタイミングを示すタイミングチャートである。
【図７】本発明の画像読取装置の主走査方向のタイミングを示すタイミングチャートである。
【図８】本発明の画像読取装置の２次元方向の複数パッチのデータを示す図である。
【図９】本発明の画像読取装置の画像データ取り出し処理を示すフローチャートである。
【図１０】本発明の画像読取装置の実施例１の動作を示すフローチャートである。
【図１１】本発明の画像読取装置の実施例２の動作を示すフローチャートである。
【図１２】本発明の画像読取装置の実施例３の動作を示すフローチャートである。
【図１３】本発明の画像読取装置の実施例４の動作を示すフローチャートである。
【符号の説明】
【００５７】
１    コンタクトガラス
２    ランプ（光源）
３    第１ミラー
４    第２ミラー
５    第３ミラー
６    第１キャリッジ
７    第２キャリッジ
８    レンズ
９    ＣＣＤ
１０    原稿
１１    駆動ワイヤ
１２    プーリ
１３    ホームポジションセンサ
１４    駆動軸
１５    ワイヤプーリ
１６    タイミングプーリ
１７    タイミングベルト
１８    モータ
１９    ミラー清掃部
２０    クリーニングパッド
２１    ワイヤ
２２    連結部
２３    ワイヤ取り付け用部品
２４    プーリ
１００１    スキャナ
１００２    ＩＰＵ
１００３    プリンタ
１００４    ＣＰＵ
１００５    操作部
１０１１    画像処理モジュール
１０１２    複数ラインメモリ
１０１３    ＲＡＭ
１０１４    メモリコントロール
【図１】
2007143032.tif 000003
【図２】
2007143032.tif 000004
【図３】
2007143032.tif 000005
【図４】
2007143032.tif 000006
【図５】
2007143032.tif 000007
【図６】
2007143032.tif 000008
【図７】
2007143032.tif 000009
【図８】
2007143032.tif 000010
【図９】
2007143032.tif 000011
【図１０】
2007143032.tif 000012
【図１１】
2007143032.tif 000013
【図１２】
2007143032.tif 000014
【図１３】
2007143032.tif 000015